(57)【特許請求の範囲】
【請求項１】
互いに軸方向に真っ直ぐまたは斜めに対向する一対の軌道輪の各軌道面間に複数の転動体が介在するスラスト軸受において、最小負荷荷重時に転動体に作用するスラスト荷重による転動体の直径の弾性変形量をδ０、各転動体の直径相互差をΔＤａとしたとき、δ０≧ΔＤａの関係が成り立ち、
前記転動体がころであって、前記各軌道輪と前記転動体とが互いに線接触し、前記最小負荷荷重時に転動体に作用するスラスト荷重をｐ０、線接触の長さをｌとしたとき、
δ０＝０．００３ｐ００．９／ｌ０．８≧ΔＤａ
の関係が成り立つスラスト軸受。
【請求項２】
互いに軸方向に真っ直ぐまたは斜めに対向する一対の軌道輪の各軌道面間に複数の転動体が介在するスラスト軸受において、最小負荷荷重時に転動体に作用するスラスト荷重による転動体の直径の弾性変形量をδ０、各転動体の直径相互差をΔＤａとしたとき、δ０≧ΔＤａの関係が成り立ち、
前記転動体が玉であって、前記各軌道輪と前記転動体とが互いに点接触し、前記最小負荷荷重時に転動体に作用するスラスト荷重をｐ、ヘルツの誘導により求められる係数を２ｋ／πμ、転動体の半径をｒ、軌道輪の曲率半径をｒｉとしたとき、
【数１】
0005778517.tif 000004
の関係が成り立つスラスト軸受。
【請求項３】
請求項１または請求項２において、固定部に対して回転部が回転運動を行い、前記回転部に前記固定部と反対方向からスラスト荷重が作用する構造体に用いられ、前記固定部に前記一対の軌道輪のうちの一方の軌道輪が結合され、前記回転部に他方の軌道輪が結合されるスラスト軸受。
【請求項４】
請求項３において、前記固定部は工作機械の基台であり、前記回転部は同工作機械の回転テーブルであるスラスト軸受。
【発明の詳細な説明】
【技術分野】
【０００１】
この発明は、例えば切削用工作機械のワークを載せる回転テーブルの支持に用いられ、非繰り返し振れを小さくするのに優れたスラスト軸受に関する。
【背景技術】
【０００２】
転がり軸受に支持された構造体に高い位置精度を求める場合、転がり軸受の回転精度のうち回転に同期しない振れ、いわゆる非繰り返し振れを小さく管理する必要がある。非繰り返し振れは転がり軸受の公転精度によるところが大きく、非繰り返し振れを小さくするには、転動体の直径相互差を小さくするのが有効であることが分かっている。例えば特許文献１には、ころ軸受についての有効な直径相互差が開示され、特許文献２には、玉軸受についての有効な直径相互差が開示されている。スラスト軸受については、現時点では、非繰り返し振れについての研究があまり進められておらず、転動体の直径相互差の適正値が不明である。
【先行技術文献】
【特許文献】
【０００３】
【特許文献１】特開２００４−３０８８２２号公報
【特許文献２】特開２００４−３５３６９２号公報
【発明の概要】
【発明が解決しようとする課題】
【０００４】
スラスト軸受にスラスト荷重が作用したときのメカニズムについて考察する。
図７に示すスラスト軸受１は、下側の軌道輪２に対し上側の軌道輪３が鉛直方向に沿う中心軸Ｏ回りに回転している。上側の軌道輪３に下向きのスラスト荷重が作用すると、軌道輪２，３および転動体４に弾性変形が生じる。このとき、各転動体４の直径相互差が転動体４の直径の弾性変形量よりも大きいと、同図（Ａ）のように上側の軌道輪３に傾きが生じる。上側の軌道輪３が１回転する間に転動体４は１／２回転することから、同図（Ｂ），（Ｃ）のように１回転毎に傾きは逆位相となる。その結果、上側の軌道輪３における円周方向の特定点Ｐが上下動する。
【０００５】
さらに、転動体４にかかる荷重が不均一となるため、各転動体４の自転速度が異なり、上側の軌道輪３が複数回回転すると、転動体４の公転回転数が変化する。それにより、高さのピークとなる特定点Ｐの位置が徐々に変化していく。これが、スラスト軸受１の非繰り返し振れである。
【０００６】
図８は、非繰り返し振れが起きるスラスト軸受１を切削加工用工作機械の回転テーブル１２の支持に用いた状態を示す。スラスト軸受１の非繰り返し振れにより、上側の軌道輪３に結合された回転テーブル１２は、１回転する毎に傾きが変化し、ある一点における傾き量は徐々に変化する。よって、例えば回転テーブル１２上に被加工物１４を載せ、位置固定した工具（図示せず）で切削加工を行った場合、加工深さＨが回転テーブル１２の回転角度によって変化する。図８（Ａ）は、切削加工時の一状態を、同図（Ｂ）は回転テーブル１２が１回転した時の状態を、同図（Ｃ）は回転テーブル１２が２回転した時の状態をそれぞれ示す。このように、加工深さＨが回転角度によって変化するため、被加工物１４の外周面における中心軸Ｏと平行な直線上について見ると、表面形状が不均一となる。この表面形状の不均一は、視覚的に加工むらとして認知されるものであり、品質上問題である。
【０００７】
このように、スラスト軸受の場合も、非繰り返し振れが工作機械等の構造体の位置精度に与える影響は大きいため、非繰り返し振れを抑制する必要がある。それには、転動体の直径相互差を適正に定めなければならない。直径相互差が大きすぎると、非繰り返し振れを十分に小さくすることができず、スラスト軸受に支持された構造体の満足な位置精度が得られない。ただし、直径相互差を必要以上に抑制するのは、高コスト化の原因となる。
【０００８】
この発明の目的は、転動体の直径相互差が適正値であって、非繰り返し振れを十分に小さくすることができ、かつ比較的低コストで製作できるスラスト軸受を提供することである。
【課題を解決するための手段】
【０００９】
この発明のスラスト軸受は、互いに軸方向に真っ直ぐまたは斜めに対向する一対の軌道輪の各軌道面間に複数の転動体が介在し、最小負荷荷重時に転動体に作用するスラスト荷重による転動体の直径の弾性変形量をδ０、各転動体の直径相互差をΔＤａとしたとき、δ０≧ΔＤａの関係が成り立つ。
上記最小負荷荷重時とは、Ａ：テーブル重量、Ｂ：軸受予圧荷重、Ｃ：上側軌道輪重量のいずれか、もしくはこれらの組合せの和（Ａ＋Ｂ、Ｂ＋Ｃ、Ａ＋Ｃ、Ａ＋Ｂ＋Ｃ）が転動体に作用する時のことを言う。軸受単独の状態で成立することもあれば、機械へ組込み後に他の荷重が加算された状態で成立することもある。例えば、軸受単独の状態では、上側軌道輪重量だけが転動体に作用する。軸受が機械に取付けられた状態では、上側軌道輪重量に加えて、軸受予圧荷重およびテーブル重量も転動体に作用する。なお、軸受予圧荷重は、運転によって大きくなるため、運転状態を考慮して定まる値である。
【００１０】
スラスト軸受の非繰り返し振れを防ぐには、各転動体にかかる負荷の不均一を抑制することが有効である。それには、各転動体の直径相互差ΔＤａを、転動体の直径の初期弾性変形量すなわち最小負荷荷重時における転動体の直径の弾性変形量δ０以下とするのが良い。したがって、δ０≧ΔＤａの関係とすることにより、非繰り返し振れを防ぐことができる。
【００１１】
δ０≧ΔＤａの関係を満足させるには、転動体の直径相互差ΔＤａを小さくする方法と、最小負荷荷重時における転動体の直径の弾性変形量δ０を大きくする方法とがある。前者の方法は、加工や測定に高精度が要求され、製造コストに影響する。よって、後者の方法を採用することが現実的である。具体的に弾性変形量δ０を大きくする手法として、以下が挙げられる。
・転動体数を減らす。
・転動体の直径を小さくする。
・初期に予圧を負荷する。
・転動体と軌道輪との接触幅を減らす。
・軌道輪の軌道面における転動体との接触位置の断面形状を変更する。例えば、軌道面が平面である場合、凸形状とする。また、軌道面が円弧形状の溝状である場合、円弧の曲率を小さくする。
これらの手法の中から、スラスト軸受の用途、サイズ、製造コスト等を総合判断して、適切な手法を１つ、または複数採用すればよい。
【００１２】
この発明において、前記転動体がころであって、前記各軌道輪と前記転動体とが互いに線接触する場合、前記最小負荷荷重時に転動体に作用するスラスト荷重をｐ０、線接触の長さをｌとしたとき、
δ０＝０．００３ｐ００．９／ｌ０．８≧ΔＤａ
の関係が成り立つようにするのが良い。ここで、ｐ０は、１個の転動体に作用する荷重であり、（軸受に負荷される荷重）÷（転動体の個数）で表される。ｐ０の単位はkgf、ｌの単位はmmである。
【００１３】
また、前記転動体が玉であって、前記各軌道輪と前記転動体とが互いに点接触する場合、前記最小負荷荷重時に転動体に作用するスラスト荷重をｐ０、ヘルツの誘導により求められる係数を２ｋ／πμ、転動体の半径をｒ、軌道輪の曲率半径をｒｉとしたとき、
【数１】
0005778517.tif 000002
の関係が成り立つようにするのが良い。ｒ，ｒｉの単位は、いずれもmmである。
【００１４】
この発明のスラスト軸受は、固定部に対して回転部が回転運動を行い、前記回転部に前記固定部と反対方向からスラスト荷重が作用する構造体に用いることができる。その場合、構造体の前記固定部にスラスト軸受の前記一対の軌道輪のうちの一方の軌道輪が結合され、構造体の前記回転部にスラスト軸受の前記一対の軌道輪のうちの他方の軌道輪が結合される。
【００１５】
前記構造体が工作機械である場合、前記固定部は同工作機械の基台であり、前記回転部は同工作機械の回転テーブルであってよい。
この発明のスラスト軸受を工作機械の回転テーブルの支持に用いると、非繰り返し振れによる回転テーブルの傾きの変化を抑制することができ、精度良く加工を行うことができる。
【発明の効果】
【００１６】
この発明のスラスト軸受は、互いに軸方向に真っ直ぐまたは斜めに対向する一対の軌道輪の各軌道面間に複数の転動体が介在し、最小負荷荷重時に転動体に作用するスラスト荷重による転動体の直径の弾性変形量をδ０、各転動体の直径相互差をΔＤａとしたとき、δ０≧ΔＤａの関係が成り立ち、かつ前記転動体がころの場合、および玉の場合に、それぞれ前述のように定めたため、転動体の直径相互差が適正値であって、非繰り返し振れを十分に小さくすることができ、かつ比較的低コストで製作できる。
【図面の簡単な説明】
【００１７】
【図１】この発明の第１の実施形態にかかるスラスト軸受の断面図である。
【図２】この発明の第２の実施形態にかかるスラスト軸受の断面図である。
【図３】この発明の第３の実施形態にかかるスラスト軸受の断面図である。
【図４】この発明の第４の実施形態にかかるスラスト軸受の断面図である。
【図５】この発明の第４の実施形態にかかるスラスト軸受の断面図である。
【図６】同スラスト軸受を用いた工作機械の一例の概略断面図である。
【図７】スラスト軸受の非繰り返し振れの説明図である。
【図８】非繰り返し振れが工作機械の加工に与える影響の説明図である。
【発明を実施するための形態】
【００１８】
この発明の実施形態を図面と共に説明する。
図１は、第１の実施形態である複列スラスト円筒ころ軸受形式のスラスト軸受を示す。このスラスト軸受１Ａは、互いに軸方向に対向する一対の軌道輪２，３の各軌道面２ａ，３ａ間に、複列の円筒ころからなる転動体４が円周方向に複数介在している。各軌道面２ａ，３ａは平面状である。各転動体４は、保持器５に保持されている。転動体４は単列であってもよい。
【００１９】
このスラスト軸受１Ａは、転動体４が円筒ころであるため、各軌道輪２，３と転動体４とが互いに線接触している。軌道輪２，３と転動体４が線接触する場合の転動体４の直径の弾性変形量δは、転動体４に作用するスラスト荷重をｐ、線接触の長さをｌとしたとき、
δ＝０．００３ｐ０．９／ｌ０．８・・・（式１）
で表される。
【００２０】
スラスト軸受１Ａの非繰り返し振れを防ぐには、各転動体４にかかる負荷の不均一を抑制することが有効である。それには、転動体４の直径相互差ΔＤａを、転動体４の初期弾性変形量すなわち最小負荷荷重時の弾性変形量δ０以下とするのが良い。これを関係式にすると、
δ０＝０．００３ｐ００．９／ｌ０．８≧ΔＤａ・・・（式２）
となる。但し、ｐ０は最小負荷荷重時に転動体４に作用するスラスト荷重である。
【００２１】
このスラスト軸受１Ａは、上記式２の関係が成り立つように、転動体４の直径相互差ΔＤａが定められている。それにより、各転動体４にかかる負荷の不均一を抑制して、スラスト荷重を受ける側の軌道輪２の傾きを小さくすると同時に、転動体４の公転周期を均一化し、軸受の非繰り返し振れを防ぐことができる。
【００２２】
上記式２の関係を満足させるには、転動体４の直径相互差ΔＤａを小さくする方法と、最小負荷荷重時における転動体４の直径の弾性変形量δ０を大きくする方法とがある。前者の方法は、加工や測定に高精度が要求され、製造コストに影響する。よって、後者の方法を採用することが現実的である。具体的に転動体４の直径の弾性変形量δ０を大きくする手法として、以下が挙げられる。
・転動体数を減らす。
・転動体の直径を小さくする。
・初期に予圧を負荷する。
・転動体と軌道輪との接触幅を減らす。
・軌道輪の軌道面における転動体との接触位置の断面形状を凸形状とする。例えば、クラウニング形状とする。
これらの手法の中から、スラスト軸受１Ａの用途、サイズ、製造コスト等を総合判断して、適切な手法を１つ、または複数採用すればよい。
【００２３】
図２は、第２の実施形態である円すいころ軸受形式のスラスト軸受を示す。このスラスト軸受１Ｂは、互いに軸方向に対向する一対の軌道輪２，３の各軌道面２ａ，３ａ間に、複列の円すいころからなる転動体４が円周方向に複数介在している。各軌道面２ａ，３ａは円すい面状である。各転動体４は、保持器５に保持されている。
【００２４】
このスラスト軸受１Ｂも、各軌道輪２，３と転動体４とが互いに線接触しており、最小負荷荷重時の弾性変形量δ０と最小負荷荷重時に転動体４に作用するスラスト荷重ｐ０との関係につき、前記式２の関係が成り立つように定められている。それにより、前記実施形態と同様に、軸受の非繰り返し振れを防ぐことができる。第１の実施形態で列挙した手法と同様の手法で、転動体４の直径の弾性変形量δ０を大きくすることができる。
【００２５】
図３は、第３の実施形態である玉軸受形式のスラスト軸受を示す。このスラスト軸受１Ｃは、互いに軸方向に対向する一対の軌道輪２，３の各軌道面２ａ，３ａ間に、玉からなる転動体４が円周方向に複数介在している。各軌道面２ａ，３ａは断面円弧形状の溝状である。各転動体４は、保持器５に保持されている。
【００２６】
このスラスト軸受１Ｃは、転動体４が玉であるため、各軌道輪２，３と転動体４とが互いに点接触している。その場合、転動体４の最小負荷荷重時の弾性変形量δ０と転動体４の直径相互差ΔＤａとの関係は、
【数１】
0005778517.tif 000003
となるようにしてある。それにより、前記実施形態と同様に、軸受の非繰り返し振れを防ぐことができる。
【００２７】
上記式３の関係を満足させるために、転動体４の直径の弾性変形量δ０を大きくする手法として、以下が挙げられる。
・転動体数を減らす。
・転動体の直径を小さくする。
・初期に予圧を負荷する。
・転動体と軌道輪との接触幅を減らす。
・軌道輪の軌道面における転動体との接触位置を、円弧の曲率の大きい断面形状とする。または、軌道輪の軌道面を、曲率の異なる複数の面からなるゴシックアーチ形状とする。
これらの手法の中から、スラスト軸受１Ｃの用途、サイズ、製造コスト等を総合判断して、適切な手法を１つ、または複数採用すればよい。
【００２８】
図４は、第４の実施形態であるクロスローラ軸受形式のスラスト軸受を示す。このスラスト軸受１Ｄは、互いに直交する複列の軌道面２ａ，２ｂが形成された内周側の軌道輪２と、前記軌道面２ａ，２ｂに対向する軌道面３ａ，３ｂがそれぞれ個別に形成された上下一対の外周側の軌道輪３Ａ，３Ｂとを有し、互いに対向する軌道面２ａ，３ａ間、および軌道面２ｂ，３ｂ間に円筒ころからなる転動体４が転動自在に介在している。各一対の軌道面２ａ，３ａおよび軌道面２ｂ，３ｂは、互いに軸方向に対向し、軌道面２ａ，３ａ間に介在する転動体４および軌道面２ｂ，３ｂ間に介在する転動体４は、互いに交互に配置されている。各転動体４は、共通の保持器５にそれぞれ保持されている。このスラスト軸受１Ｄは、スラスト荷重とラジアル荷重の両方を受けることができる。
【００２９】
このスラスト軸受１Ｄは、転動体４が円筒ころであり、各軌道輪２，３Ａ，３Ｂと転動体４とが互いに線接触しているため、最小負荷荷重時の弾性変形量δ０と最小負荷荷重時に転動体４に作用するスラスト荷重ｐ０との関係につき、前記式２が適用される。それにより、前記各実施形態と同様に、軸受の非繰り返し振れを防ぐことができる。
【００３０】
図５は、第５の実施形態である４点接触玉軸受形式のスラスト軸受を示す。このスラスト軸受１Ｅは、互いに直交する複列の軌道面２ａ，２ｂが形成された内周側の軌道輪２と、前記軌道面２ａ，２ｂに対向する軌道面３ａ，３ｂがそれぞれ個別に形成された上下一対の外周側の軌道輪３Ａ，３Ｂとを有し、互いに対向する軌道面２ａ，３ａ間、および軌道面２ｂ，３ｂ間に玉からなる転動体４が転動自在に介在している。各一対の軌道面２ａ，３ａおよび軌道面２ｂ，３ｂは、互いに軸方向に対向し、軌道面２ａ，３ａ間に介在する転動体４および軌道面２ｂ，３ｂ間に介在する転動体４は、互いに交互に配置されている。各転動体４は、共通の保持器５にそれぞれ保持されている。このスラスト軸受１Ｅも、スラスト荷重とラジアル荷重の両方を受けることができる。
【００３１】
このスラスト軸受１Ｅは、転動体４が玉であり、各軌道輪２，３Ａ，３Ｂと転動体４とが互いに点接触しているため、最小負荷荷重時の弾性変形量δ０と最小負荷荷重時に転動体４に作用するスラスト荷重ｐ０との関係につき、前記式３が適用される。それにより、前記各実施形態と同様に、軸受の非繰り返し振れを防ぐことができる。
【００３２】
図６は、第１の実施形態のスラスト軸受１Ａを用いた構造物の一例を示す。この構造物は、切削加工用の工作機械１０である。工作機械１０は、固定部である基台１１に、スラスト軸受１Ａを介して、回転部である回転テーブル１２が回転自在に支持されている。詳しくは、スラスト軸受１Ａの一方の軌道輪２が基台１１に結合され、他方の軌道輪３が回転テーブル１２に結合されている。回転テーブル１２の軸部１２ａは、ジャーナル軸受１３により、基台１１に対し回転自在に支持されている。回転テーブル１２上に被加工物１４を載せた状態で、回転駆動機構（図示せず）により回転テーブル１２を回転させ、位置固定で設けた工具（図示せず）により回転する被加工物１４に対して切削加工を行う。
【００３３】
この工作機械１０は、回転テーブル１２がスラスト軸受１Ａで支持されているため、軸受の非繰り返し振れによる回転テーブル１２の傾きの変化を抑制することができ、精度良く加工を行うことができる。
【００３４】
図６の例では、回転テーブル１２の支持に第１の実施形態のスラスト軸受１Ａが用いられているが、他の実施形態のスラスト軸受１Ｂ，１Ｃ，１Ｄ，１Ｅを用いてもよい。その場合も、精度良く加工を行うことができる。
【符号の説明】
【００３５】
１，１Ａ，１Ｂ，１Ｃ，１Ｄ，１Ｅ…スラスト軸受
２…軌道輪
２ａ，２ｂ…軌道面
３，３Ａ，３Ｂ…軌道輪
３ａ，３ｂ…軌道面
４…転動体
１０…工作機械（構造物）
１１…基台（固定部）
１２…回転テーブル（回転部）
【図１】
0005778517.tif 000005
【図２】
0005778517.tif 000006
【図３】
0005778517.tif 000007
【図４】
0005778517.tif 000008
【図５】
0005778517.tif 000009
【図６】
0005778517.tif 000010
【図７】
0005778517.tif 000011
【図８】
0005778517.tif 000012